(57)【要約】      （修正有）【課題】自動車事故のような緊急事態発生時に備えて、当事者が、肝心なときに直ちに見て、落ち着いて、かつ速やかに、必要な対策がとれるようにする緊急対策マニュアルを提供する。【解決手段】緊急対策マニュアルは紙製のシート状本体１と小型鉛筆又は小型ボールペン等の筆記具とを、透明な袋に入れて構成される。本体１の表面には、右半分に「御守」などの文字４、５を表示し、左半分に連絡先の電話番号７等及び文字情報を助ける各種イラスト８が記載され、左右を等分する仮想線９で山折りされる。【選択図】図１
0003176263.tif 000002
【実用新案登録請求の範囲】
【請求項１】
自動車事故等の緊急事態発生時に必要とする緊急対策、対策の手順、各種連絡先等の情報が記載されたシート状本体を有し、「御守」の体裁をなすことを特徴とする緊急対策マニュアル。
【請求項２】
前記シート状本体は、１枚のシートを二つ折りにしてその一方の表面に「御守」、「御守り」若しくは「お守り」又はこれらに類する語を表示してなることを特徴とする第１項記載の緊急対策マニュアル。
【請求項３】
前記二つ折りにしたシート状本体を透明の袋に入れてなることを特徴とする第２項記載の緊急対策マニュアル。
【請求項４】
前記シート状本体は、緊急事態の発生時刻、発生場所、発生状況その他の事項を記載するためのメモ・スペースを有することを特徴とする第１項ないし第３項記載の緊急対策マニュアル。
【請求項５】
前記メモ・スペースに必要事項を記録するための筆記具を備えたことを特徴とする第４項記載の緊急対策マニュアル。
【考案の詳細な説明】
【技術分野】
【０００１】  本考案は、「御守」の体裁をなす緊急対策マニュアルに関する。
【背景技術】
【０００２】  例えば自動車保険会社は、自動車事故発生時に必要な対策事項、対策の手順等を記載した緊急対策マニュアルを発行し、このマニュアルを保険証書や車検証と一緒に保管することを、顧客に勧めている。しかしながら、そのような保管方法はなかなか守られず、緊急時に、肝心のマニュアルが探せないため、当事者はパニック状態に陥り、今、何を、どういう手順ですればよいか咄嗟に判断できなくなる、といった問題があった。【０００３】  保険契約説明書について、保証内容が複雑で把握しにくい点を、約款中に保証内容の項番や記載場所を表示した目次を備えることにより解決したという先行技術（実登３１４１４５２号）はあるが、これは、緊急事態発生時に、対策に必要な事項が記載された文書等を直ちに見られるようにした技術ではない。
【先行技術文献】
【特許文献】
【０００４】
【特許文献１】  実登３１４１４５２号
【考案の概要】
【考案が解決しようとする課題】
【０００５】  自動車事故のような緊急事態発生時に備えて作成される緊急対策マニュアルを、当事者が、肝心なときに直ちに見て、落ち着いて、かつ速やかに、必要な対策がとれるようにすることにある。
【課題を解決するための手段】
【０００６】  本考案の緊急対策マニュアルは、自動車事故等の緊急事態発生時に必要とする緊急対策、対策の手順、各種連絡先等の情報が記載されたシート状本体を有して、「御守」の体裁をなすことを特徴とする。
【考案の効果】
【０００７】  本考案の緊急対策マニュアルは「御守」の体裁をなすので、比較的目につき易い場所に置いて貰え、また、心理的に頼りにもされるため、事故等の緊急事態発生時には、事故の当事者がこの御守形の緊急対策マニュアルを直ちに見て、落ち着いて、そこに記載された対策手順に沿って適切な対策をとることができる。
【図面の簡単な説明】
【０００８】
【図１】緊急対策マニュアルの平面図である。
【図２】緊急対策マニュアルのシート状本体を展開して示す平面図である。
【図３】緊急対策マニュアルのシート状本体を展開して示す裏面図である。
【考案を実施するための形態】
【０００９】  図１ないし図３は本考案の一実施例を示すもので、自動車事故等に関する緊急対策マニュアルの平面図である。この緊急対策マニュアルは紙製のシート状本体１と小型鉛筆又は小型ボールペン等の筆記具２とを、透明な袋３に入れて構成される。
【００１０】本体１の表面には、図１のように右半分に「御守」、「交通安全」の文字４、５を表示し、左半分に「事故や故障でクルマが動かなくなった！でもあわてずに・・・」の文字６や連絡先の電話番号「１２３・・・・・・」７等及び文字情報を助ける各種イラスト８が記載され、左右を等分する仮想線９で山折りされる。さらに、右上隅部は４５度の角度で切り欠いてカット部１０としてある。なお、「御守」の文字４に代えて、「御守り」、「お守り」又はこれらに類する語を使用しても良い。
【００１１】  また、シート状本体１の裏面には、図２のように右半分に「事故の際、メモにお使いください。」の文字１１と共に「事故日時」、「事故場所」、「事故の相手」、「事故状況」、「その他」の事項を記載するメモ・スペース１２、１３、１４、１５、１６が設けられている。さらに、右上隅部には「事故の時、落ち着いてコチラより」の語１７が記載されている。
【００１２】  シート状本体１裏面の左半分には、「もしも事故が起こったら・・・」の文字１８と共に、事故発生時になすべき対策の手順として「１  被害者の救援」、「２  事故車を安全な場所へ」、「３  警察へ届出」、「４  事故相手・状況の確認」の対策の手順の情報を示す文字１９、２０、２１、２２が表示されている。
【００１３】  シート状本体１を、図１に示す仮想線９で山折りにして、図３の如く筆記具２と共に透明な袋３に入れると「御守」、「交通安全」の文字４、５が表面に現れて、「交通安全の御守」の体裁をとった緊急対策マニュアルが構成される。また、この状態で、右上隅部のカット部１０を通して裏面側の「事故の時、落ち着いてコチラより」の語１７が見えるので、この部分をつまんで容易に見開きし、折り畳んだ内側の面に書かれた対策の手順も、容易に見ることができる。
【００１４】  そして、交通事故に際しては、メモ・スペース１２、１３、１４、１５、１６に筆記具２を用いて必要事項を素早く記録することができる。
【００１５】  この緊急対策マニュアルは、例えば自動車の運転席の適当位置に「御守」として置かれ、若しくはぶら下げされ、又は車検証や自動車保険証書と共に保管されることになる。
【産業上の利用可能性】
【００１６】  本考案の緊急対策マニュアルは、「御守」の体裁をなすので、顧客には、「交通安全の御守」として扱って貰える結果、比較的見やすい場所に置いて貰え、また、心理的に頼りにされることも相まって、緊急事態発生時には、事故等の当事者に直ちに見て貰うことができ、当事者は必要な対策を、落ち着いて、速やか、かつ適切に行うことができる。【００１７】  よって、この緊急対策マニュアルは、例えば自動車事故発生時に備えて作成されるものであっても良いし、住宅における地震、水難、火災、盗難等に備えて作成されるものであっても、また、普段の生活における警察、病院、役所、学校、職場等との緊急連絡時に使用するマニュアルであっても良い。【００１８】  さらに本考案の緊急対策マニュアルは「御守」の体裁をなすものであるから、本来の「御守」の内部に、用途に応じた緊急対策事項を付加する形で適用すれば、心理的に頼りにされるだけでなく、現実に役立つ真の「御守」として完成させることができる。
【符号の説明】
【００１９】１は、シート状本体
２は、筆記具
３は、透明な袋、
４は、「御守」の文字
１２、１３、１４、１５、１６は、メモ・スペース
【図１】
0003176263.tif 000003
【図２】
0003176263.tif 000004
【図３】
0003176263.tif 000005